(57)【要約】【課題】便座内部のリード線が挟まれて断線することを抑制できる便座を提案する。【解決手段】本発明の便座は、便座本体１と、着座検知用のスイッチ２と、スイッチ２に接続されるリード線３と、を備える。便座本体１は、第一パーツ（上パーツ４）と、第二パーツ（下パーツ５）と、その間に形成される内部空間Ｓ１と、を有する。第二パーツは、スイッチ収納部６を有する。スイッチ収納部６は、スイッチ２が収納される収納空間Ｓ２と、周壁部６０と、底壁部６１と、を有する。周壁部６０には、収納空間Ｓ２と内部空間Ｓ１とを連通する引出孔６２が設けられる。第一パーツには、引出孔６２から内部空間Ｓ１に引き出されたリード線３が底壁部６１と第一パーツとの間の空間Ｓ３に移動することを規制するリブ７が、第二パーツ側に向けて突出して設けられる。【選択図】図１
2015104421.tif 000002
【特許請求の範囲】
【請求項１】
便座本体と、
前記便座本体に装着される着座検知用のスイッチと、
前記スイッチに接続されるリード線と、を備える便座であって、
前記便座本体は、前記便座本体の厚み方向の一側を構成する第一パーツと、前記便座本体の厚み方向の他側を構成する第二パーツと、前記第一パーツと前記第二パーツとの間に形成される内部空間と、を有し、
前記第二パーツは、スイッチ収納部を有し、
前記スイッチ収納部は、
前記スイッチが収納される収納空間と、前記収納空間の側方を囲んで位置する周壁部と、前記収納空間の前記第一パーツ側に位置する底壁部と、を有し、
前記周壁部には、前記収納空間と前記内部空間とを連通する引出孔が設けられ、
前記第一パーツには、前記引出孔から前記内部空間に引き出された前記リード線が前記底壁部と前記第一パーツとの間の空間に移動することを規制するリブが、前記第二パーツ側に向けて突出して設けられることを特徴とする便座。
【請求項２】
前記スイッチ収納部は、前記周壁部の前記引出孔の周囲から前記内部空間内に突出するガイド片を有することを特徴とする請求項１に記載の便座。
【発明の詳細な説明】
【技術分野】
【０００１】
本発明は、着座検知用のスイッチを有する便座に関する。
【背景技術】
【０００２】
従来から、特許文献１等によって、便座に着座検知手段としてスイッチを設けた便座装置が提案されている。
【０００３】
特許文献１の便座装置では、便座は、上面が着座面となる上板部と、便器のリム上に載置される下板部とからなる二枚板構造で構成されている。そして、下板部の上面には、略筒状をしたリブが上方に突設してあり、このリブの内側にスイッチが配置されている。
【先行技術文献】
【特許文献】
【０００４】
【特許文献１】特開２０１２−５０６号公報
【発明の概要】
【発明が解決しようとする課題】
【０００５】
ところで、特許文献１の便座装置は、スイッチの上部に端子を有しているため、スイッチの端子に接続されるリード線がリブ上を通って便座の後端部へと配線される。そのため、リード線は、使用者が便座に着座すると、下方に撓んだ上板部とリブによって挟まれて断線するおそれがある。
【０００６】
上記事情を鑑みて、本発明は、便座内部のリード線が挟まれて断線することを抑制できる便座を提案することを課題とする。
【課題を解決するための手段】
【０００７】
上記課題を解決するために本発明の便座は、便座本体と、前記便座本体に装着される着座検知用のスイッチと、前記スイッチに接続されるリード線と、を備える便座であって、前記便座本体は、前記便座本体の厚み方向の一側を構成する第一パーツと、前記便座本体の厚み方向の他側を構成する第二パーツと、前記第一パーツと前記第二パーツとの間に形成される内部空間と、を有し、前記第二パーツは、スイッチ収納部を有し、前記スイッチ収納部は、前記スイッチが収納される収納空間と、前記収納空間の側方を囲んで位置する周壁部と、前記収納空間の前記第一パーツ側に位置する底壁部と、を有し、前記周壁部には、前記収納空間と前記内部空間とを連通する引出孔が設けられ、前記第一パーツには、前記引出孔から前記内部空間に引き出された前記リード線が前記底壁部と前記第一パーツとの間の空間に移動することを規制するリブが、前記第二パーツ側に向けて突出して設けられることを特徴とする。
【０００８】
また、前記スイッチ収納部は、前記周壁部の前記引出孔の周囲から前記内部空間内に突出するガイド片を有することが好ましい。
【発明の効果】
【０００９】
本発明の便座は、第一パーツに設けたリブによって、第二パーツから第一パーツ側に突出するスイッチ収納部と第一パーツとの間の空間にリード線が移動することを規制することができる。これにより、本発明の便座は、便座内部のリード線が挟まれて断線することを抑制できる。
【図面の簡単な説明】
【００１０】
【図１】本発明の第一実施形態の便座を示し、（ａ）は一部を破断した斜視図であり、（ｂ）はリブを含む平面の断面図である。
【図２】同上の便座を示す斜視図であり、（ａ）は斜め上から視た図であり、（ｂ）は斜め下から視た図であり、（ｃ）は便座の上パーツを斜め下方から視た図であり、（ｄ）は便座の下パーツを斜め上方から視た図である。
【図３】本発明の第二実施形態の便座を示し、（ａ）は一部を破断した斜視図であり、（ｂ）はリブを含む平面の断面図である。
【発明を実施するための形態】
【００１１】
以下、本発明の実施形態について添付図面に基づいて説明する。
【００１２】
本発明の第一実施形態の便座は、図１（ａ）に示すように、便座本体１と、便座本体１に装着される着座検知用のスイッチ２と、スイッチ２に接続されるリード線３と、を備える。本実施形態の便座は、便器に回動自在に取り付けられる。
【００１３】
便器は、例えば、ボウルとリムとスカートを有する便器本体、便器付設装置、床に載置されて便器本体と便器付設装置を支持する支持フレーム、排水トラップ、上部カバー、側部カバー、後部カバー、及び便蓋等を備える。便器付設装置は、ボウルに洗浄水を吐出する吐出ノズル、上水道に接続されて吐出ノズルに給水を行う給水管、便座を温める暖房装置、局部洗浄用の温水洗浄装置、乾燥装置、脱臭装置、上記の各装置の制御を行う制御回路等を備える。リード線３は、スイッチ２と便器付設装置内の制御回路等を接続する。便器は、使用者の便座への着座をスイッチ２によって検知することで、便座暖房や脱臭等の各機能を自動で行うようになっている。
【００１４】
便座は、その後端部が便器の後端部（便器本体の後端部や上部カバー）に回動自在に取り付けられる。便座は、便器本体のリムに対して略垂直となる起立姿勢と、リムに対して略水平となる倒伏姿勢とに姿勢を変えることができる。以下では、倒伏姿勢における便座を基準とした向きを用いて、各構成について説明する。
【００１５】
便座本体１は、便座本体１の厚み方向の一側を構成する第一パーツと、便座本体１の厚み方向の他側を構成する第二パーツと、第一パーツと第二パーツとの間に形成される内部空間Ｓ１と、を有する。本実施形態では、第一パーツは、便座本体１の上部を構成する上パーツ４であり、第二パーツは、便座本体１の下部を構成する下パーツ５である。
【００１６】
上パーツ４は、その上面が、使用者が着座する着座面をなしている。下パーツ５は、その下面が、便器のリム上に載置される載置面をなしている。
【００１７】
上パーツ４及び下パーツ５は、図２（ａ）乃至図２（ｄ）に示すように、平面視略円環状であり、中央に排泄用の開口部を有する。上パーツ４と下パーツ５は、内周縁同士が結合しており、外周縁同士が結合している。上パーツ４と下パーツ５の結合は、振動溶着等の手段を用いて行われる。
【００１８】
本実施形態では、図２（ａ）に示すように、上パーツ４の後端部の左右両端に、後上方に向けて突出する取付部４０を有する。左右一対の取付部４０はそれぞれ、軸部４１を有する。左右一対の軸部４１は、便器の後端部に有する軸受によって回転自在に支持される。
【００１９】
下パーツ５は、図１（ａ）及び図２（ｄ）に示すように、下パーツ５の一部を上方に凹ませた形状のスイッチ収納部６を有する。下パーツ５には、前部の左右に１つずつスイッチ収納部６が形成されている。左右一対のスイッチ収納部６は、下パーツ５に左右対称に設けられている。スイッチ収納部６は、例えば、射出成形によって下パーツ５と一体に形成される。なお、スイッチ収納部６は、下パーツ５に溶着や接着等によって取り付けられるものであってもよい。
【００２０】
スイッチ収納部６は、内部空間Ｓ１内に突出している。スイッチ収納部６の内部空間Ｓ１内への突出長さ（つまり上方への突出長さ）は、上パーツ４に使用者の着座による荷重がかかっていない状態（以下「未着座状態」という）で、上パーツ４との間に隙間が形成される長さである。上パーツ４は、着座による荷重がかかった際に、この隙間の分だけ下方に撓むことができる。
【００２１】
スイッチ収納部６は、スイッチ２が収納される収納空間Ｓ２と、収納空間Ｓ２の側方を囲んで位置する周壁部６０と、収納空間Ｓ２の上方に位置する底壁部６１と、を有する。周壁部６０には、内側の収納空間Ｓ２と外側の内部空間Ｓ１とを連通する引出孔６２が設けられている。引出孔６２を有する周壁部６０は、平面視略Ｃ字状である。本実施形態では、周壁部６０は、外周面の平面視形状が一部切り欠いた楕円形状であり、内周面の平面視形状が一部切り欠いた矩形状である。なお、周壁部６０の内周面の形状は、スイッチ２の外形状に対応しており、平面視矩形状に限らない。本実施形態では、引出孔６２は、下パーツ５の中央の開口部に向けて開口している。引出孔６２は、周壁部６０の周方向の一部に上下方向に亘って設けられている。本実施形態では、引出孔６２は、角孔である。
【００２２】
底壁部６１は、上下方向に貫通する補助引出孔６３を有する。補助引出孔６３は、底壁部６１の中央部から縁部まで開口しており、引出孔６２に連通している。つまり、スイッチ収納部６には、底壁部６１から周壁部６０へと亘るリード線引出用の孔が設けられている。
【００２３】
上パーツ４には、図１（ａ）に示すように、引出孔６２から内部空間Ｓ１に引き出されたリード線３が底壁部６１と上パーツ４との間の空間Ｓ３に移動することを規制するリブ７が、下方に向けて突出して設けられている。
【００２４】
リブ７は、図１（ａ）及び図１（ｂ）に示すように、周壁部６０のうち引出孔６２の周方向の両隣の部位をそれぞれ囲むように一対設けられる。リブ７の下方への突出長さは、スイッチ収納部６の底壁部６１と前記未着座状態の上パーツ４との間の上下距離よりも長く、且つ周壁部６０の上下長さよりも短い。これにより、リブ７は、前記未着座状態において、上パーツ４と下パーツ５の中央の開口部側から視て、リブ７の下端部が周壁部６０と重なる。そして、リブ７は、便座に使用者が着座した着座状態において、リブ７の先端が下パーツ５に当たらない。
【００２５】
一対のリブ７０，７１は、周壁部６０のうち引出孔６２の周方向の両隣の部位に対向する位置にそれぞれ、わずかな隙間を介して配置されている。この隙間は、上パーツ４と下パーツ５とを振動溶着により結合する際に、周壁部６０とリブ７０，７１とが溶着しないようにするための隙間であり、隙間の幅は、リード線の太さより短い。
【００２６】
各リブ７０，７１は、周壁部６０に沿う平面視円弧状の弧状部７００，７１０と、弧状部７００、７１０の互いに隣接する側の端部から上パーツ４の中央の開口部に向けて突出する平面視直線状の直線部７０１，７１１とを有する。直線部７０１，７１１は略平行に設けられている。直線部７０１，７１１の突出方向は、引出孔６２の開口方向と略平行である。
【００２７】
スイッチ２は、スイッチ収納部６に対応した外形状を有するものであり、下面に被押圧部（図示せず）を有し、周面の一部にリード線３が接続される端子（図示せず）を有する。スイッチ２は、前記被押圧部が便器のリムに所定以上の力で押し当てられたときに、ＯＮとなる。ここで、所定以上の力とは、便座の自重よりも大きい力であり、便座に使用者が着座したときにかかる荷重を意味する。スイッチ２は、ＯＮとなったときにリード線３を介して信号を前記制御回路に送信して、便座へ使用者が着座したことを前記制御回路に知らせる。
【００２８】
リード線３は、一方の端部がスイッチ２の端子に接続され、他方の端部が前記制御回路に接続される。リード線３は、便座本体１の内部（内部空間Ｓ１）の前部（スイッチ収納部６の位置）から後端部へと配線される。リード線３の長さは、スイッチ収納部６から便座本体１の後端部までの長さよりも長い。
【００２９】
続いて、上述した本実施形態の便座の製造方法及び便器への取付方法の一例について説明する。
【００３０】
まず、上パーツ４と下パーツ５とを、内周縁同士が重なり、外周縁同士が重なるように配置し、上パーツ４と下パーツ５との間にリード線３を配置する。このとき、上パーツ４のリブ７０，７１が下パーツ５のスイッチ収納部６の周壁部６０のうち引出孔６２の周方向の両隣の部位に対向する位置に配置される。
【００３１】
次いで、上パーツ４と下パーツ５を振動溶着により内周面同士を溶着し、且つ外周面同士を溶着する。
【００３２】
次いで、下パーツ５のスイッチ収納部６の引出孔６２からリード線３の一方の端部を下パーツ５の下方へ引き出し、下パーツ５の外側でスイッチ２の端子に接続させる。次いで、リード線３の引き出された端部を便座本体１内に戻しながら、スイッチ２をスイッチ収納部６へと下方から装着する。このとき、スイッチ２は、例えば、スイッチ２の端子に接続されたリード線３が補助引出孔６３内から引出孔６２内へと移動するように回転させながらスイッチ収納部６へと装着させる。
【００３３】
次いで、便座本体１の後端部の一対の軸部４１を、便器の後端部の軸受に取り付け、リード線３の他方の端部を便器付設装置の制御回路に接続する。
【００３４】
以上のようにして製造され、便器に取り付けられた本実施形態の便座では、起立姿勢と倒伏姿勢とに姿勢が切り替えられる際等に、リード線３の長手方向の一部が、底壁部６１と上パーツ４との間の空間Ｓ３に移動することを一対のリブ７０，７１によって規制できる。そのため、本実施形態の便座では、使用者が着座した際に、上パーツ４が下方に撓み、この撓んだ上パーツ４と下パーツ５のスイッチ収納部６とによってリード線３が挟まれて断線されることを抑制することができる。
【００３５】
続いて、図３に示す本発明の第二実施形態の便座について説明する。第一実施形態の便座と同じ構成については図中に同じ符号を入れて詳しい説明を省略する。
【００３６】
本実施形態の便座は、第一実施形態の便座とは、スイッチ収納部６の形状が異なる。本実施形態では、スイッチ収納部６は、周壁部６０の引出孔６２の周囲から内部空間Ｓ１内に突出するガイド片８を有する。ガイド片８は、引出孔６２から内部空間Ｓ１内に引き出されたリード線３をリブ７から離れる方向へとガイドする。
【００３７】
詳しくは、ガイド片８は、図３（ａ）及び図３（ｂ）に示すように、周壁部６０のうち引出孔６２の周方向の両隣の部位からそれぞれ、引出孔６２の開口方向（下パーツ５の中央の開口部側）に平面視直線状に突出している。一対のガイド片８０，８１は、互いに略平行であり、リブ７０，７１の直線部７０１，７１１に対して略平行である。一対のガイド片８０，８１は、平面視において、リブ７０，７１の直線部７０１，７１１との間に隙間が形成されるように設けられている。この隙間は、上パーツ４と下パーツ５とを振動溶着により結合する際に、ガイド片８０，８１とリブ７０，７１とが溶着しないようにするための隙間であり、隙間の幅は、リード線の太さより短い。
【００３８】
ガイド片８は、射出成形により下パーツ５とスイッチ収納部６と一体に形成される。なお、ガイド片８は、スイッチ収納部６とは別体のものであり、溶着や接着等によってスイッチ収納部６の周壁部６０と下パーツ５の上面に固定されるものであってもよい。
【００３９】
以上説明した本実施形態の便座では、便器に取り付けられて起立姿勢と倒伏姿勢とに姿勢が切り替えられる際等に、リード線３の長手方向の一部が、底壁部６１と上パーツ４との間の空間Ｓ３に移動することをリブ７によって規制できる。更に、本実施形態の便座では、引出孔６２から内部空間Ｓ１内に引き出されたリード線３をガイド片８によってリブ７から離れる方向へとガイドすることができ、リブ７０，７１と下パーツ５との間の空間にリード線３が移動することを抑制することができる。これにより、本実施形態の便座は、使用者が着座した際に、下方に撓んだ上パーツ４と下パーツ５のスイッチ収納部６とによってリード線３が挟まれることと、下方に撓んだ上パーツ４のリブ７と下パーツ５とによってリード線３が挟まれることを抑制できる。したがって、本実施形態の便座は、便座本体１の内部のリード線３が挟まれて断線されにくいものとなっている。
【００４０】
なお、上述した第一及び第二実施形態では、第一パーツが上パーツ４であり、第二パーツが下パーツ５である例について説明したが、第一パーツが下パーツ５であり、第二パーツが上パーツ４であってもよい。つまり、第一実施形態は、図１（ａ）を上下逆にした構造であってもよく、第二実施形態は、図３（ａ）を上下逆にした構造であってもよい。これらの場合、上パーツ４にスイッチ収納部６が内部空間Ｓ１内に突出させて設けられ、下パーツ５にリブ７が上方に突出させて設けられる。このとき、スイッチ収納部６に装着されるスイッチ２は、例えば上面に被押圧部を有し、前記被押圧部が使用者の着座による下向きの荷重を受けたときに、ＯＮとなる。
【００４１】
以上まとめると、本発明の実施形態の便座は、第一及び第二実施形態の便座のように、便座本体１と、便座本体１に装着される着座検知用のスイッチ２と、スイッチ２に接続されるリード線３と、を備える。便座本体１は、便座本体１の厚み方向の一側を構成する第一パーツ（上パーツ４または下パーツ５）と、便座本体１の厚み方向の他側を構成する第二パーツ（下パーツ５または上パーツ４）と、第一パーツと第二パーツとの間に形成される内部空間Ｓ１と、を有する。第二パーツは、スイッチ収納部６を有する。スイッチ収納部６は、スイッチ２が収納される収納空間Ｓ２と、収納空間Ｓ２の側方を囲んで位置する周壁部６０と、収納空間Ｓ２の第一パーツ側に位置する底壁部６１と、を有する。周壁部６０には、収納空間Ｓ２と内部空間Ｓ１とを連通する引出孔６２が設けられる。第一パーツには、引出孔６２から内部空間Ｓ１に引き出されたリード線３が底壁部６１と第一パーツとの間の空間Ｓ３に移動することを規制するリブ７が、第二パーツ側に向けて突出して設けられる。
【００４２】
以上のような構成とすることで、本発明の実施形態の便座は、便器に対して回動する際等に、第一パーツに設けたリブ７によって、スイッチ収納部６と第一パーツとの間の空間Ｓ３にリード線３が移動することを規制することができる。これにより、本発明の実施形態の便座は、便座内部のリード線３が挟まれて断線することを抑制できる。
【００４３】
また、本発明の実施形態の便座は、第二実施形態の便座のように、スイッチ収納部６は、周壁部６０の引出孔６２の周囲から内部空間Ｓ１内に突出するガイド片８を有することが好ましい。
【００４４】
以上のような構成とすることで、本発明の実施形態の便座は、引出孔６２から内部空間Ｓ１へと引き出されたリード線３をガイド片８によってリブ７から離れる方向へガイドすることができる。これにより、本発明の実施形態の便座は、リブ７と第二パーツとの間の空間にリード線３が移動することを、ガイド片８によって抑制することができる。したがって、本発明の実施形態の便座は、便座内部のリード線３が挟まれて断線することを更に抑制できるものとなっている。
【００４５】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００４６】
１      便座本体
２      スイッチ
３      リード線
４      上パーツ
５      下パーツ
６      スイッチ収納部
７      リブ
８      ガイド片
６０    周壁部
６１    底壁部
６２    引出孔
Ｓ１    内部空間
Ｓ２    収納空間
Ｓ３    空間
【図１】
2015104421.tif 000003
【図２】
2015104421.tif 000004
【図３】
2015104421.tif 000005